(57)【要約】  本開示は、取付装置の正確な配置を気にせずに取り付け可能な、品物の配置を微調節することをユーザに許容する調節可能な取付装置を提供する。特定の取付装置を絵画を掛けるために使用することができ、垂直面に取り付けた後に回転させることができる。
2019508122.tif 000002
【特許請求の範囲】
【請求項１】
取付装置であって、
突出部を含む第１の部分と、
前記第１の部分の前記突出部が嵌合できる受け部を含む第２の部分とを備え、
前記第１の部分及び前記第２の部分の少なくとも一方が、荷重支持形態を有し、
前記第１の部分と前記第２の部分は、嵌合させることができ、嵌合されると共通軸線を中心に回転させることができる、取付装置。
【請求項２】
前記突出部及び前記受け部はそれぞれ、略円形又は略円柱形である、請求項１に記載の取付装置。
【請求項３】
前記第１の部分は、前記突出部の周囲の１つ以上の歯を含む、請求項１又は２に記載の取付装置。
【請求項４】
前記第２の部分は、前記突出部の外側面の周囲の回り止めを含む、請求項１〜３のいずれか一項に記載の取付装置。
【請求項５】
前記第２の部分は、前記受け部の内側面の周囲の回り止めを含む、請求項１〜４のいずれか一項に記載の取付装置。
【請求項６】
前記受け部の前記内側面の周囲の前記回り止めと前記突出部の前記外側面の周囲の前記歯は、前記第１の部分と前記第２の部分を静止位置に一緒に保持するように、互いに確実に係合する、請求項４又は５に記載の取付装置。
【請求項７】
前記突出部と前記受け部は、適切に嵌合されると、可聴音及び／又は物理的フィードバックをユーザに提供する、請求項１〜６のいずれか一項に記載の取付装置。
【請求項８】
前記取付装置は、平面に対して垂直に取り付ける、掛ける、接着する、及び／又は貼り付けることができる、請求項１〜７のいずれか一項に記載の取付装置。
【請求項９】
前記取付装置は、前記取付装置を壁に接着することを可能にするように、前記第１の部分及び前記第２の部分の一方に接着片を含む、請求項１〜８のいずれか一項に記載の取付装置。
【請求項１０】
前記取付装置は、前記取付装置を壁に取り付ける、掛ける、接着する、及び／又は貼り付けることを可能にするように、前記第１の部分及び前記第２の部分の一方にメカニカルファスナーを含む、請求項１〜９のいずれか一項に記載の取付装置。
【請求項１１】
前記取付装置は、前記取付装置をフレーム、写真、美術品等に接着することを可能にするように、前記第１の部分及び前記第２の部分の一方に接着片を含む、請求項１〜１０のいずれか一項に記載の取付装置。
【請求項１２】
前記第１の部分は、前記突出部の周囲の１つ以上の起伏部を含む、請求項１〜１１のいずれか一項に記載の取付装置。
【請求項１３】
前記第２の部分は、前記突出部の外側面の周囲の回り止めを含む、請求項１〜１２のいずれか一項に記載の取付装置。
【請求項１４】
前記受け部の前記内側面の周囲の前記回り止めと前記突出部の前記外側面の周囲の前記歯は、前記第１の部分と前記第２の部分を静止位置に一緒に保持するように、互いに確実に係合する、請求項１３に記載の取付装置。
【請求項１５】
前記突出部と前記受け部は、適切に嵌合されると、可聴音及び／又は物理的フィードバックをユーザに提供する、請求項１〜１４のいずれか一項に記載の取付装置。
【請求項１６】
物品を壁に保持できる取付装置を準備する方法であって、
（１）突出部を含む第１の部分、及び（２）前記第１の部分の前記突出部が嵌合できる受け部を含む第２の部分を備える工程であって、前記第１の部分及び前記第２の部分の少なくとも一方が、角度を有する荷重支持形態を有する、備える工程と、
嵌合されると前記第１の部分と前記第２の部分が共通軸線を中心に回転できるように、前記突出部が前記受け部内に嵌るように、前記第１の部分と前記第２の部分を接合する工程と
を含む方法。
【請求項１７】
前記第１の部分と前記第２の部分を適切に嵌合させるように、それらの部分を互いに対して回転させる工程を更に含む、請求項１６に記載の方法。
【請求項１８】
前記第１の部分と前記第２の部分が適切に嵌合されたことを、それらが可聴音を出す、及び／又はフィードバックをユーザに提供するまで、それらの部分を互いに対して回転させることにより確認する工程を更に含む、請求項１６又は１７に記載の方法。
【請求項１９】
前記第１の部分及び前記第２の部分の一方の後主面に接着片を適用し、その第１の部分又は第２の部分を壁に取り付ける、掛ける、接着する、及び／又は貼り付ける工程と、
前記第１の部分及び前記第２の部分の他方の前主面に接着片を適用し、その第１の部分又は第２の部分をフレーム、写真、美術品等に取り付ける、掛ける、接着する、及び／又は貼り付ける工程とを更に含む、請求項１６〜１８のいずれか一項に記載の方法。
【請求項２０】
キットであって、
突出部を含む第１の部分と、
前記第１の部分の前記突出部が嵌合できる受け部を含む第２の部分と、
前記第１の部分及び前記第２の部分の一方を壁に取り付ける、掛ける、接着する、及び／又は貼り付けることができるメカニカルファスナー又は接着式ファスナーと、
前記第１の部分及び前記第２の部分の一方をフレーム、写真、美術品等に取り付ける、掛ける、接着する、及び／又は貼り付けることができるメカニカルファスナー又は接着式ファスナーと、を備え
前記第１の部分及び前記第２の部分の少なくとも一方が、角度を有する荷重支持形態を有し、
前記第１の部分及び前記第２の部分は、嵌合させることができ、嵌合されると共通軸線を中心に回転させることができる、キット。
【発明の詳細な説明】
【技術分野】
【０００１】
本開示は、概して、物品を取り付けるのに有用な物品に関し、より詳細には、絵画、フレーム、美術品等を壁に取り付けるための回転可能な装置に関する。
【背景技術】
【０００２】
絵画又は他の品物を壁に掛けるには、絵画が水平であること、又は２つの絵画が位置合わせされることを確実にするために正確な測定が必要となることが多い。絵画を掛けるには、通常、絵画を壁に固定する留め手段（例えば、釘、ネジハンガー、又はフック）が必要となる。多数の留め機構が存在する。従来の絵画ハンガーは、壁に固定されたフックを含むことが多い。そのようなフックは、典型的に上方に湾曲し、絵画フレーム又は美術品の支持ブラケットを受けるように構成される。
【０００３】
しかし、絵画を掛ける伝統的な方法には問題がある。多くの留め機構は、装着のために高価な又は面倒な工具を必要とする。他の留め機構は、定められた重量しか保持できず、当初軽い品物を掛けた後により重い品物と交換しようとすると、既存の絵画ハンガーを取り外し、より大きな重量に対応できる異なるハンガーと交換しなければならない。いくつかの留め機構は、壁から抜け易かったり、適切に利用されない場合又は重い品物を掛けるために使用した場合に抜け落ちたりする。そして、掛けられる絵画又は品物の背面にある裏当金具の種類によって、ユーザは、掛けられる品物の金具に対応する異なる壁ハンガーを選ぶ必要があることもある。
【０００４】
別の問題は、ユーザが壁上の正確な位置に絵画を配置しようとしても、絵画フレームのフック（１又は複数）が釘又はネジの位置とぴったり合わず、困難となることがある。２つの異なる絵画を位置合わせしようとして、異なる絵画フレームのフックが、絵画フレームの上端から同じ位置にはない場合も問題となる。このことは、単に壁上で釘を整列させても、絵画自体の相互の整列が保証されない問題を提起する。このため、壁のどこに釘又はネジを取り付けるかが分かるのに、時間がかかり、手間がかかる。
【０００５】
標準的な方法で絵画を掛けることに伴う更なる問題は、大きい絵画をどのように壁に掛けるかに関係する。大きな絵画は、絵画の重量を分散させるためにフレーム上に複数のフックを有することが多い。このため、ユーザは、複数の釘又はフックを使用しなければならず、壁に多くの損傷箇所を作ることになる。更に、ユーザは、掛けられる品物を水平に掛けるために、複数の釘又はフックを正確に水平にする必要があり、このことは、難しく、いらだたしい作業となることがある。
【０００６】
現在、水平ではなく又は適切な高さにない絵画を配置し直す標準的な方法は、絵画を壁から外し、その釘又はネジを壁から取り外し、その上で、釘を異なる位置に配置し、絵画を掛け直し、絵画が所望の高さにあるかどうかを確認することである。絵画が所望の高さにない場合には、このプロセス全てを再び繰り返すことになる。試行錯誤により絵画を位置合わせ及びレベリングするこのプロセスは、時間がかかり、不要な穴を作り、壁の強度を低下させて最終的に修理の必要性を生じさせることもある。
【０００７】
いくつかのハンガーが、上述した問題の少なくともいくつかを解消することを試みるように設計されている。Ｚｉｍｍｅｒｍａｎに対する米国特許第５，６９５，１４７号は、吊下げワイヤを長くしたり短くしたりできる回転可能な本体を用いて、吊り下げられた物体に両端で固定された可撓性のある線の長さを制御し、壁上の絵画を上下にシフトさせる、調節可能な掛け装置を記述している。Ｆｅｒｇｕｓｏｎに対する米国特許第６，６６６，４２５号は、垂直方向に配置された複数の歯を有する本体と、調節可能なブラケットとを有し、垂直方向に配置された歯のいずれか１つに絵画を配置できる、垂直方向に調節可能な絵画ハンガーを記述している。Ｒａｂｉｎに対する米国特許第８，０６１，０５４号は、細長いストラップ及び一対の離間したスライダとを有し、取り付けられる絵画のレベリングを容易にするために壁上に印を付けることができる、調節可能な絵画掛け装置を記述している。Ｋａｍｅｎｓｔｅｉｎに対する米国特許第６，５７２，０６７号は、絵画を水平方向又は垂直方向で調節できる、フックに結合されたギアを有する調節可能な絵画掛けフックを記述している。Ｋｅｌｒｉｃｋに対する米国特許第４，８９２，２８４号は、物体を水平方向に連続移動させるラック及びピニオンと、物体を垂直方向に連続移動させるためのネジとを有する調節可能なハンガーを記述している。
【発明の概要】
【０００８】
本出願の発明者等は、使用が容易であり、必ずしも工具の使用を必要とせず、比較的安価であり、様々な裏当金具構成を備える品物を掛けることを可能にし、絵画の配置を容易に素早く高い精度で調節することをユーザに可能にさせる、システムの必要性を認識している。
【０００９】
本開示の様々な実施形態は、既存の壁掛装置に関する上記の制約の一部又は全てに有利に対処する。例えば、本開示の様々な実施形態は、以下の利点、すなわち、（１）掛けるのが容易である、（２）壁にダメージを及ぼさない、（３）壁から取り外さなくても利用中の調節及びレベリングが可能である、（４）掛けられるフレーム／美術品の背面にハンガーを使用する必要がなく、品物の取り付けの一層の容易性及び自由度をユーザに許容する、（５）掛けられる品物を回転させることが可能である、（６）単一の装置による荷重支持能力を向上させる、のうちの少なくとも１つを有する取付装置を提供する。
【００１０】
本開示のいくつかの実施形態は、絵画掛け装置を壁に固定した後に絵画（又は掛けられる品物）を調節することを可能にする、絵画又は鏡等の物体を掛けるための取付装置に関する。このことは、取付装置の設置後に、掛けられる品物のより容易なレベリング、及び品物の向きの潜在的な調節を可能にする。
【００１１】
本開示のいくつかの実施形態は、取付装置であって、突出部を含む第１の部分と、第１の部分の突出部が嵌合できる受け部を含む第２の部分とを備え、第１の部分及び第２の部分の少なくとも一方が、荷重支持形態を有し、第１の部分と第２の部分は、嵌合させることができ、嵌合されると共通軸線を中心に回転させることができる、取付装置に関する。
【００１２】
本開示のいくつかの実施形態は、物品を壁に保持できる取付装置を準備する方法であって、（１）突出部を含む第１の部分、及び（２）第１の部分の突出部が嵌合できる受け部を含む第２の部分を用意することであって、第１の部分及び第２の部分の少なくとも一方が、角度を有する荷重支持形態を有する、ことと、嵌合されると第１の部分と第２の部分が共通軸線を中心に回転できるように、突出部が受け部内に嵌るように、第１の部分と第２の部分を接合することとを含む方法に関する。
【００１３】
本開示のいくつかの実施形態は、キットであって、突出部を含む第１の部分と、第１の部分の突出部が嵌合できる受け部を含む第２の部分とを備え、第１の部分及び第２の部分の一方を壁に取り付ける、掛ける、接着する、及び／又は貼り付けることができるメカニカルファスナー又は接着式ファスナーと、第１の部分及び第２の部分の一方をフレーム、写真、美術品等に取り付ける、掛ける、接着する、及び／又は貼り付けることができるメカニカルファスナー又は接着式ファスナーと、第１の部分及び第２の部分の少なくとも一方が、角度を有する荷重支持形態を有し、第１の部分及び第２の部分は、嵌合させることができ、嵌合されると共通軸線を中心に回転させることができる、キットに関する。
【００１４】
いくつかの実施形態では、突出部及び受け部はそれぞれ、略円形又は略円柱形である。いくつかの実施形態では、第１の部分は、突出部の１つ以上の歯を含む。いくつかの実施形態では、第２の部分は、突出部の外側面の周囲の回り止めを含む。いくつかの実施形態では、第２の部分は、受け部の内側面の周囲の回り止めを含む。いくつかの実施形態では、受け部の内側面の周囲の回り止めと突出部の外側面の周囲の歯は、第１の部分と第２の部分を共に静止位置に保持するように、互いに確実に係合する。いくつかの実施形態では、突出部と受け部は、適切に嵌合されると、可聴音及び／又は物理的フィードバックをユーザに提供する。いくつかの実施形態では、取付装置は、平面に対して垂直に取り付ける、掛ける、接着する、及び／又は貼り付けることができる。いくつかの実施形態では、取付装置は、取付装置を壁に接着することを可能にするように、第１の部分及び第２の部分の一方に接着片を含む。いくつかの実施形態では、取付装置は、取付装置を壁に取り付ける、掛ける、接着する、及び／又は貼り付けることを可能にするように、第１の部分及び第２の部分の一方にメカニカルファスナーを含む。いくつかの実施形態では、取付装置は、取付装置をフレーム、写真、美術品等に接着することを可能にするように、第１の部分及び第２の部分の一方に接着片を含む。いくつかの実施形態では、第１の部分は、突出部の周囲の１つ以上の起伏部を含む。いくつかの実施形態では、第２の部分は、突出部の外側面の周囲の回り止めを含む。いくつかの実施形態では、受け部の内側面の周囲の回り止めと突出部の周囲の外側面の歯は、第１の部分と第２の部分を共に静止位置に保持するように、互いに確実に係合する。いくつかの実施形態では、突出部と受け部は、適切に嵌合されると、可聴音及び／又は物理的フィードバックをユーザに提供する。
【図面の簡単な説明】
【００１５】
【図１】本開示で概ね説明する取付装置の例示的な実施形態の概略図である。
【００１６】
【図２】図１に示す実施形態の概略断面図である。
【００１７】
【図３】第１の部分と第２の部分をどのように嵌合させるかを示す、図１及び図２の例示的な実施形態の概略図である。
【００１８】
【図４】本開示で概ね説明する取付装置の例示的な実施形態の概略図である。
【００１９】
【図５】図４に示す実施形態の概略断面図である。
【００２０】
【図６】本開示で概ね説明する取付装置の例示的な実施形態の概略図である。
【００２１】
【図７】本開示で概ね説明する取付装置の例示的な実施形態の前側の写真である。
【００２２】
【図８】その前側が図７に示される例示的な実施形態の後側の写真である。
【００２３】
【図９】図７及び図８に示す例示的な実施形態のうち壁に適用された部分の前側の写真である。
【００２４】
【図１０】図７〜図９に示す例示的な実施形態のうち取り付けられる品物に適用された部分の後側の写真である。
【００２５】
【図１１】図１０に示す取り付けられた品物の前側の写真である。図１１及び図１２に示すように、品物を回転させることができる。
【図１２】図１０に示す取り付けられた品物の前側の写真である。図１１及び図１２に示すように、品物を回転させることができる。
【００２６】
図は、必ずしも一定の比率の縮尺ではない。いくつかの特徴は、特定の構成要素の詳細を示すために誇張されている又は最小化されていることがある。したがって、本明細書に開示される具体的な構造的及び機能的詳細は限定的なものとして解釈されるべきではなく、本発明の様々な使用を当業者に教示するための代表的な根拠としてのみ解釈されるべきである。
【発明を実施するための形態】
【００２７】
本開示について、添付図面を参照して、以下により詳しく説明する。添付図面には、例示的な実施形態が示されている。しかしながら、本開示の範囲は、多くの異なる形態で具体化されてもよく、本明細書で述べる又は示す実施形態に限定されると解釈されるべきではない。
【００２８】
本開示の調節可能な絵画掛け装置は、絵画掛け装置の正確な配置を気にせずに絵画の配置を微調節することをユーザに可能にさせる。いくつかの実施形態では、装置はまた、壁に穴を不要に空けることを防止する。
【００２９】
図１〜図３
【００３０】
図１〜図３には、取付装置１００が第１の部分１１０（「Ａ」ともいう）及び第２の部分１２０（「Ｂ」ともいう）を含む、例示的な一実施形態が示されている。図１に示す特定の実施形態では、第１及び第２の部分は略正方形である（当業者は、例えば、長方形、五角形、菱形等、多くの代替的な形状を使用できることを理解するであろうが）。第１の部分１１０と第２の部分１２０は、同じ又は異なる形状を有することができる。第１の部分１１０及び第２の部分１２０はそれぞれ厚さを有する。任意の所望の厚さを用いることができる。例示的な所望の厚さは、約０．６５インチ〜約０．１２５インチである。第１及び第２の部分は、例えばプラスチック等の任意の所望の材料から作ることができる。
【００３１】
いくつかの実施形態では、第１の部分１１０及び第２の部分１２０の少なくとも一方が荷重支持形態を有する。本明細書で使用するとき、用語「荷重支持形態」は、構造又は形状が荷重支持能力をもたらすことを意味する。図１に示す実施形態では、第１の部分１１０又は第２の部分１２０の上副面１２２（又は第１の横副面１２４及び第２の横副面１２６、又は下副面１２８）が、掛けられる品物の重量を保持できる形状又は構造を有する。この特定の実施形態では、掛けられる品物は、上副面１２２に支持される。少なくともいくつかの実施形態では、取付装置は、伝統的な釘又はフックに比べて、有効な取り付け面積又は対象を大幅に増大させる。釘及びフックは、掛けられる品物に比べて相対的に小さいので、釘／フックと掛けられる品物とを完璧に位置合わせすることは難しい。取付装置のうち品物が掛けられる部分のサイズを大きくする（例えば、釘又はフックと比べた上副面のサイズ）ことによって、ユーザが、取付装置を壁に配置するとき、及び取付装置に品物を配置するときの自由度が著しく高まる。また、木版画及びカンバス等、より大きい又はより重い品物の取り付けを支援するために、第１の部分１１０及び第２の部分１２０のいずれか又は両方の副面に、接着片（以下に例示するような）又は他の固定面を設けることができる。
【００３２】
第１の部分１１０は、第１の部分１１０の少なくとも１つの主面から外方に延びる突出部１３０を含む。図１に示す特定の実施形態では、突出部１３０は、第１の部分１１０の（後主面１４５とは反対側にある）前主面１４０から外方に延びる。突出部１３０は、任意の所望の厚さ及び直径を有することができる。いくつかの実施形態では、厚さは約０．１００インチ〜約０．３８０インチである。いくつかの実施形態では、直径は約１インチ〜約４インチである。いくつかの実施形態では、突出部１３０は、第１の部分１１０の全体面積の少なくとも３０％、少なくとも４０％、少なくとも５０％、少なくとも６０％、少なくとも７０％、少なくとも７５％、少なくとも８０％、少なくとも８５％、少なくとも９０％、又は少なくとも９５％を占める。いくつかの実施形態では、突出部１３０の厚さは、第１の部分１１０の厚さよりも小さく、その厚さに等しく、又はその厚さよりも大きい。突出部１３０は、図１の特定の実施形態では円形として示されている。しかし、突出部は、例えば、円形又は円柱形等の任意の所望の形状を有することができる。図示するように、突出部１３０は、前主面１４０に近づくにつれて細くされている。
【００３３】
第２の部分１２０は、第２の主面１５６とは反対側の第１の主面１５４と、突出部１３０が嵌合できる受け部１５０とを含む。図１に示す特定の実施形態では、受け部１５０は、突出部１３０が受け部１５０内にぴったり嵌まることを可能にするように、同様であるが若干大きな形状及びサイズの窪みである。いくつかの実施形態では、突出部１３０を受け部１５０内で回転させることができ、受け部はそれに応じたサイズ及び形状とされなければならない。
【００３４】
図３に示すように、第１の部分１１０を第２の部分１２０に留めるために、受け部１５０を突出部１３０と回転可能に嵌合させることができる。得られた取付装置１００は、回転軸線１８０を中心に回転させることができる。
【００３５】
いくつかの実施形態では、取付装置は、装置を適正又は有効に嵌合させると、ユーザにフィードバックを提供する。任意の所望のフィードバック機構を使用することができる。いくつかの例示的なフィードバック機構としては、例えば聴覚的又は物理的な機構が挙げられる。
【００３６】
いくつかの例示的な実施形態では、第１の部分１１０の突出部１３０は、突出部１３０の外周面から外方に延びる複数の起伏構造を含む。図１〜図３は歯１６０を示しているが、起伏構造は、外周面から突出するテクスチャ又は突出部（例えば、サンドペーパー）を有する任意の構造とすることができる。いくつかの実施形態では、第２の部分１２０の受け部１５０は、歯１６０が嵌まる複数の回り止め１６５を含む。いくつかの実施形態では、受け部１５０の内側面の周囲の回り止め１６５と、突出部１３０の外側面の周囲の歯１６０とは、第１の部分１１０と第２の部分１２０を静止位置に一緒に保持するように、互いに確実に係合する。いくつかの実施形態では、歯１６０が回り止め１６５に嵌ると、それらの２つの構造が適正又は有効に嵌合されたことをユーザに知らせる可聴ノイズ（例えばクリック音）及び／又は物理的な「クリック」がある。いくつかの実施形態では、第１の部分と第２の部分は互いに目盛りが付されている。いくつかの実施形態では、歯１６０は実質的に均一に離間する。いくつかの実施形態では、歯は互いに０．５〜３．０ｍｍ離間する。
【００３７】
歯１６０及び回り止め１６５を含むいくつかの実施形態では、取付装置１００（及び掛けられる品物）のレベリングを容易にするために、第１の部分１１０と第２の部分１２０をラチェットのように回転させることができる。このことは、取付装置１００を壁に貼り付けた後、留めた後、又は取り付けた後でも、容易に行うことができる。
【００３８】
図１〜図３に示す実施形態では、歯１６０は第１の部分１１に示され、回り止め１６５は第２の部分１２０に示されている。しかし、当業者は、歯１６０が、第１若しくは第２の部分のいずれに（又は取付装置の別の部分に）あってもよく、また、取付装置が組み立てられると歯／起伏構造と回り止めが位置合わせされる限り、第１若しくは第２の部分のいずれに（又は取付装置の別の部分に）あってもよいことを認識するであろう。
【００３９】
図４及び図５
【００４０】
図４及び図５は、ここで概ね説明する、取付装置２００の代替的な実施形態を示している。取付装置２００は、第１の部分２１０及び第２の部分２２０を含む。第１の部分２１０と第２の部分２２０は、図４及び図５の特定の実施形態では互いに異なる形状を有する（第２の部分は略正方形状を有する）。上記及びここで概ね説明するように、第１の部分２１０は受け部２５０を含み、第２の部分２２０は嵌合できる突出部２３０を含む。図５は断面図である。
【００４１】
取付装置２００、第１の部分２１０、及び第２の部分２２０の特徴の全ては、図４及び図５に示す特定の実施形態と同様の実施形態に含めることができる。
【００４２】
図４に示すように、本明細書で説明する実施形態のいずれかの第１及び第２の部分の一方又は両方が、取付装置を壁に接着することを可能にするために、第１及び第２の部分の一方に接着片を含むことができる。例示的な接着片としては、例えば、３Ｍ社により販売されるＣＯＭＭＡＮＤ（商標）ブランド製品のいずれか、例えば、３Ｍ社製のＣＯＭＭＡＮＤ（商標）絵画掛け片が挙げられる。一実施形態では、接着片は、第１（又は第２）の部分のうち掛けられる品物に隣接するセクション、及び第２（又は第１）の部分のうち壁に隣接するセクションに接着される。接着片の適用、使用、及び形成の方法、並びにその一般的なタイプのそれらの接着片の組成が、例えば、米国特許第５，６７２，４０２号、同第６，４０３，２０６号、同第７，７８１，０５６号、同第６，００１，４７１号、同第６，５６９，５２１号、同第７，０７８，０９３号に記載されており、それらの全てが本明細書に組み込まれる。
【００４３】
又は、取付装置は、取付装置を壁に取り付ける、掛ける、接着する、及び／又は貼り付けることを可能にするように、第１及び第２の部分の一方にメカニカルファスナーを含む。
【００４４】
図６
【００４５】
図６は、ここで概ね説明する、取付装置３００の代替的な実施形態を示している。取付装置３００は、第１の部分３１０及び第２の部分３２０を含む。第１の部分３１０は、絵画フレーム３７０のイーゼル裏当３８０に対応する。イーゼル裏当３８０（すなわち、第１の部分３１０）の突出部３３０は、裏当３８０と一体に作られてもよく（すなわち、裏当材と突出部が一体構造（monolithic）である）、又は、例えば、上述した接着片により貼り付けられてもよい。第２の部分３２０は、上で及びここで概ね説明する、突出部３３０と嵌合できる受け部３５０を含む。単一の突出部３３０及び対応する受け部３５０のみを示しているが、第１の部分３１０は、本開示の他の実施形態では２つ以上の突出部を（対応する受け部と共に）備えることもできる。
【００４６】
取付装置３００、第１の部分３１０、及び第２の部分３２０の特徴の全ては、図６に示す特定の実施形態と同様の実施形態に含めることができる。このような実施形態は、絵画フレームの取り付けに限定される必要はなく、任意の取り付けられる品物の壁に面する面に、一体的な又は結合された突出部を設けることができる。このような特徴により、本明細書で説明する他の実施形態に対して壁と品物の距離を短くすることができる。
【００４７】
図７〜図１２
【００４８】
図７〜図１２は、本明細書の全般的な教示に従う例示的な取付装置の構造を示す写真である。図７には、例示的な第１の部分４１０及び第２の部分４２０（前面図）が示されている。図８は、図７の第１の部分４１０及び第２の部分４２０の後面図を示している。図９は、壁に接着された第１の部分４１０を示している。図１０は、取り付けられる品物／掛けられる品物（フレーム）に接着された第２の部分４２０を示している。図１０の第２の部分は、図９の第１の部分と嵌合される。掛けられる品物は、掛けられる品物の所望のレベリングを達成するように、第１の部分と第２の部分を互いに対して回転させることにより調節される。図１１は、得られた掛け／取付写真フレームを示している。図１２は、写真フレーム（又は任意の取り付けられる品物）を取り付けた後でも、写真フレームを取付装置の軸線に沿って回転させることができることを示している。これによって、実用的（レベリング）かつ審美的な可能性をユーザにもたらすことができる。
【００４９】
方法
【００５０】
本開示のいくつかの実施形態は、物品を壁に保持できる取付装置を準備する方法であって、（１）突出部を含む第１の部分、及び（２）第１の部分の突出部が嵌合できる受け部を含む第２の部分を備える工程であって、第１及び第２の部分の少なくとも一方が、角度を有する荷重支持形態を備える工程と、嵌合されると第１の部分と第２の部分が共通軸線を中心に回転できるように、突出部が受け部内に嵌るように、第１の部分と第２の部分を接合する工程とを含む方法に関する。いくつかの実施形態では、方法は更に、第１の部分と第２の部分を適切に嵌合させるように、それらの部分を互いに対して回転させる工程を含む。いくつかの実施形態では、方法は更に、第１の部分と第２の部分が適切に嵌合されたことを確認するために、それらが可聴音を出す、及び／又はフィードバックをユーザに提供するまで、それらの部分を互いに対して回転させる工程を含む。いくつかの実施形態では、方法は更に、第１の部分及び第２の部分の一方の後主面に接着片を適用し、その第１の部分又は第２の部分を壁に取り付ける、掛ける、接着する、及び／又は貼り付けることと、第１の部分及び第２の部分の他方の前主面に接着片を適用し、その第１の部分又は第２の部分をフレーム、写真、美術品等に取り付け、掛け、接着し及び／又は貼り付ける工程とを含む。
【００５１】
本明細書で説明する様々な利点の全てに加えて、本明細書で説明する取付装置は、大きな品物を掛けることをより容易にし、水平になるように品物を調節することを可能にする。いくつかの実施形態では、それらは、取付装置の設置後に、掛けられる品物又は取り付けられる品物の向きをユーザが変更することを可能にする。いくつかの実施形態では、取付装置は、（壁及び掛けられる品物に）ダメージを及ぼさない。本明細書で説明する取付装置は、自由度を欲するユーザに申し分のないものである。本明細書で説明する取付装置は、取付装置及び取り付けられる物品の両方が壁に取り付けられた後に、それらの両方のユーザによる容易な調節をもたらす。いくつかの実施形態では、本明細書で説明する取り付けは、任意の平面に対して垂直に取付る、掛ける、接着する、及び／又は貼り付けることができる。
【００５２】
端点による全ての数値範囲の記載は、その範囲内に含まれる全ての数を含むものとする（すなわち、１〜１０の範囲は、例えば、１、１．５、３．３３、及び１０を含む）。
【００５３】
第１、第２、第３等の用語は、本明細書では様々な要素、構成要素、領域、層、及び／又はセクションを説明するために使用されることがあり、それらの要素、構成要素、領域、層、及び／又はセクションを、それらの用語によって限定すべきではないことが理解されるであろう。それらの用語は、１つの要素、構成要素、領域、層又はセクションを別の要素、構成要素、領域、層又はセクションから区別するためだけに使用されており、必ずしも順序又は時系列を説明するためのものではない。そのように使用される用語は、適切な環境下では互換的であること、及び本明細書に記載の本発明の実施形態は本明細書に記載又は例示した以外の順序で操作可能であるということが理解されるべきである。
【００５４】
本明細書で使用される専門用語は、特定の実施形態を説明するためだけのものであり、本発明を限定することを意図していない。本明細書で使用するとき、単数形の「ａ」、「ａｎ」、及び「ｔｈｅ」は、文脈上そうでないことを明確に示していない限り、複数形も含むことを意図している。本明細書で使用するとき、「備える（comprises）」及び／又は「備える（comprising）」、あるいは「含む（includes）」、及び／又は「含む（including）」という用語は、言及された特徴、領域、整数、ステップ、動作、要素、及び／又は構成要素の存在を明示し、１つ以上の他の特徴、領域、整数、ステップ、動作、要素、構成要素、及び／若しくはそれらの群の存在又は追加を除外しないことが更に理解されるであろう。
【００５５】
また、図に例示する１つの要素と別の要素との関係を説明するために、本明細書では、「下側」又は「下」、及び「上側」又は「上」、及び「前」又は「後」等の相対的な用語を使用することがある。相対的な用語は、図に示す向きに加えて、装置の異なる向きを包含することを意図していることが理解されるであろう。
【００５６】
本明細書における他の資料に関する全ての参照は、参考文献の全体を組み込むことを意味する。
【００５７】
当業者は、上記の実施形態及び実施例の詳細には、それらの基礎をなす原理から逸脱せずに多くの変更を加えることができることを理解するであろう。更に、本開示の趣旨及び範囲から逸脱しない、本開示に対する様々な改変及び変形が、当業者にとっては明らかであろう。したがって、本開示の範囲は、以下の「特許請求の範囲」によってのみ定められるべきものである。
【図１】
2019508122.tif 000003
【図２】
2019508122.tif 000004
【図３】
2019508122.tif 000005
【図４】
2019508122.tif 000006
【図５】
2019508122.tif 000007
【図６】
2019508122.tif 000008
【図７】
2019508122.tif 000009
【図８】
2019508122.tif 000010
【図９】
2019508122.tif 000011
【図１０】
2019508122.tif 000012
【図１１】
2019508122.tif 000013
【図１２】
2019508122.tif 000014
【国際調査報告】
2019508122.tif 000015
2019508122.tif 000016
2019508122.tif 000017